(57)【要約】【課題】面状弾性体に大きい力が作用し枠体が大きく撓もうとするとき、枠体からの入力でリクライナーを連結するロッドの回転を通じてリクライナーのロックを解除してしまうおそれを抑制した乗物用シート構造を提供する。【解決手段】ネット２０を固定した枠体２２を支持するバックフレーム４０下部にロアプレート４６が配置される。ロアプレート４６の前方にはリクライニングロッド５０が設けられ、枠体２２のリクライニングロッド５０に対応する部分には、リクライニングロッド５０上部に離間してロアプレート４６に向かって延びる板状部２８ａが配設される。板状部２８ａの先端はロアプレート４６にリクライニングロッド５０方向の動きを制限されて係止され、板状部２８ａの枠体２２本体への接合部分には板状部２８ａがリクライニングロッド５０から離れる方向への変形が許容される折りたたみ部２９ｃが設けられている。【選択図】図４
2015074338.tif 000002
【特許請求の範囲】
【請求項１】
面状弾性体の周囲四辺を固定した枠体と該枠体が取り付けられ前記面状弾性体を張った状態で支持するフレーム体を備え、
該フレーム体は、前記周囲四辺が、両側部に配置された一対のサイドフレームと、上部に配置されたアッパフレームと、下部に配置されたロア連結部材とから構成されている乗物用シートバックであって、
前記フレーム体の前記ロア連結部材の前方には前記一対のサイドフレーム間に一対のリクライナーを連結するロッドが設けられ、
前記枠体の前記ロッドに対応する部分には、前記ロッド上部に離間して前記ロア連結部材に向かって延びる板状部が設けられ、該板状部の先端は前記ロア連結部材に前記ロッド方向への動きを制限されて係止されていることを特徴とする乗物用シートバック。
【請求項２】
請求項１において、前記板状部の前記枠体本体への接合部分には前記板状部が前記ロッドから離れる方向への変形が許容される弱体部が設けられていることを特徴とする乗物用シートバック。
【請求項３】
請求項１又は２において、前記板状部の上で前記面状弾性体と前記ロア連結部材との間にはクッション体が配置されていることを特徴とする乗物用シートバック。
【発明の詳細な説明】
【技術分野】
【０００１】
本発明は、自動車、飛行機、船、電車等の乗物に搭載される乗物用シートに関する。より詳しくは、面状弾性体を張設した支持面で乗員を弾性的に支持する乗物用シートバックに関する。
【背景技術】
【０００２】
面状弾性体の周囲四辺を固定した枠体をシートバックフレーム部材に固定する場合、特許文献１に記載される発明においては、枠体の一辺部をシートバックフレームに配設される一対のリクライナーを連結するロッドと離間して、枠体が弾性変形したときにロッドに当たる位置に配置している。
【先行技術文献】
【特許文献】
【０００３】
【特許文献１】特開２０１０−１８４５２１号公報
【発明の概要】
【発明が解決しようとする課題】
【０００４】
従来の技術においては、枠体は常にはロッドと接触せずロッドの回動を妨げないとともに、枠体のロッドと対応する箇所においては面状弾性体に作用する荷重により枠体が弾性変形するとロッドに当たる構成とされているので、枠体が大きく撓んで破損するのを防ぐことができる。しかし、枠体が大きく撓んでロッドに当たったとき枠体からの入力の向きによりロッドを回転させようとする力が働く可能性があり、その場合ロッドの回転を通じてリクライナーのロックを解除してしまうおそれがあるという問題があった。
かかる問題に鑑み本発明の課題は、枠体は常にはロッドと接触せず、面状弾性体に大きい力が作用し枠体が大きく撓もうとするとき、枠体からの入力でロッドが回転させられることがなく、ロッドの回転を通じてリクライナーのロックを解除してしまうおそれを抑制した乗物用シート構造を提供することにある。
【課題を解決するための手段】
【０００５】
本発明の第１発明は、面状弾性体の周囲四辺を固定した枠体と該枠体が取り付けられ前記面状弾性体を張った状態で支持するフレーム体を備え、該フレーム体は、前記周囲四辺が、両側部に配置された一対のサイドフレームと、上部に配置されたアッパフレームと、下部に配置されたロア連結部材とから構成されている乗物用シートバックであって、前記フレーム体の前記ロア連結部材の前方には前記一対のサイドフレーム間に一対のリクライナーを連結するロッドが設けられ、前記枠体の前記ロッドに対応する部分には、前記ロッド上部に離間して前記ロア連結部材に向かって延びる板状部が設けられ、該板状部の先端は前記ロア連結部材に前記ロッド方向への動きを制限されて係止されていることを特徴とする。
第１発明によれば、面状弾性体の周囲四辺を固定した枠体の、フレーム体に配置されたリクライナーを連結するロッドに対応する部分に設けられた板状部はロッドから離間しているのでリクライナー操作時にロッドの回動を妨げられたり回動時の抵抗が大きくなるということがない。さらに、板状部はその先端部がロア連結部材に前記ロッド方向への動きを制限されて係止されているので枠体に大きな力が加えられても枠体はロッドに当接することなくフレーム体にその力が伝えられるので、枠体からの入力でロッドが回転させられることがなく、ロッドの回転を通じてリクライナーのロックを解除してしまうおそれの抑制が図られる。
【０００６】
本発明の第２発明は、上記第１発明において、前記板状部の前記枠体本体への接合部分には前記板状部が前記ロッドから離れる方向への変形が許容される弱体部が設けられていることを特徴とする。
第２発明によれば、板状部の枠体本体への接合部分には板状部がロッドから離れる方向への変形が許容される弱体部が設けられているので、上記第１発明の作用効果が着実に奏される。すなわち、枠体に大きな力が加えられても枠体はロッドに当接することなくフレーム体にその力が伝えられるので枠体からの入力でロッドが回転させられることがなく、ロッドの回転を通じてリクライナーのロックを解除してしまうおそれの抑制がさらに着実に図られる。
【０００７】
本発明の第３発明は、上記第１発明又は第２発明において、前記板状部の上で前記面状弾性体と前記ロア連結部材との間にはクッション体が配置されていることを特徴とする。
第３発明によれば、上記第１発明又は第２発明の作用効果に加えて枠体の板状部の上で面状弾性体とロア連結部材との間にはクッション体が配置されているので通常時において面状弾性体下部の張り感が良好で乗員の腰部の充分なサポートが図られる。さらに、後突時などのように着座者からシートバックに後方に向かって大荷重が負荷されたような場合、面状弾性体とロア連結部材の間でクッション体が圧縮変形させられるのでクッション体による衝撃吸収も図られる。
【図面の簡単な説明】
【０００８】
【図１】本発明の実施形態に係る車両用シートの斜視図である。
【図２】図１のＩＩ−ＩＩ矢視線断面図である。
【図３】シートバックの構造を示す図である。
【図４】図２のＩＶ部分を拡大して示す図であり、通常の組み付け状態を示す図である。
【図５】図４に示されるシートバックに荷重が付与されたときの状態を示す図である。
【図６】枠体下部の板状部周辺を示す斜視図である。
【図７】（Ａ）は、図６のＶＩＩ部分を拡大して示す図であり、通常の組み付け状態を示す図である。（Ｂ）は（Ａ）のＸ−Ｘ断面図である。
【図８】（Ａ）は、図６に示されるシートバックに荷重が付与されたときの状態を示す図である。（Ｂ）は、（Ａ）のＹ−Ｙ断面図である。
【発明を実施するための形態】
【０００９】
図１〜８は、本発明の一実施形態を示す。本実施形態の乗物用シート１０は、図１に示されるように、座面となるシートクッション１２、背もたれとなるシートバック１４およびヘッドレスト１３を備えている。シートクッション１２は、表皮で被覆されたパッドで着座者の荷重を弾性的に支持するものである。シートバック１４は、着座者を支持する支持面１６が面状弾性体であるネット２０で構成されている。各図中、矢印により乗物用シートを取り付けた時の乗物の各方向を示す。以下の説明において、方向に関する記述は、この方向を基準として行うものとする。
【００１０】
シートバック１４の支持面１６は、図２に示されるように、張設されたネット２０で形成されており、該ネット２０により着座者を弾性的に支持することのできる構成とされている。ネット２０は、メッシュ状に形成された織物や編物等である。図３に示されるように、ネット２０は、その周囲四辺を取り囲むように一体的に設けられた枠体２２に予め張設され、枠付きネット組立体２１を成している。枠体２２は、ポリプロピレン等の合成樹脂で形成されている。枠付きネット組立体２１を製造するには、例えば、２枚構成の金型の対向面にネット２０を張った状態で挟持させ、該金型の対向面に形成された枠体成形空間に溶融した樹脂材料を注入し、ネット２０が枠体２２に埋設された状態となるように枠体２２を成形する公知の方法を採用することができる。枠付きネット組立体２１の枠体２２がバックフレーム４０に固定されることにより、ネット２０が張った状態でシートバック１４に組み付けられている。
【００１１】
図３に示されるように、バックフレーム４０は、シートバック１４の骨格をなすものであり金属等の剛体からなる。バックフレーム４０が特許請求の範囲記載の「フレーム体」に相当する。バックフレーム４０は、上部に配設されたアッパフレーム４２と、両側部に配設された一対のサイドフレーム４４，４４と、下部に配設されたロアプレート４６を備えている。アッパフレーム４２は、パイプが逆Ｕ字形に折り曲げ加工されてなる。サイドフレーム４４，４４は板状で補強のために端部が折り曲げ加工されてリブ部が形成されており、相互に対向して配設されている。前側のリブ部が前リブ部４４ｃで後側のリブ部が後リブ部４４ｄである。サイドフレーム４４は、上下方向の中央よりも下寄りの位置が最も広幅に成形されており、その前端部が前方へ張り出し、張り出し部４４ａを形成している。サイドフレーム４４は、張り出し部４４ａを挟んで上下が先細りになっている。サイドフレーム４４の複数個所には枠付きネット組立体２１を取り付けるための係合部４４ｅが設けられている。ロアプレート４６は鋼板を曲折加工した板状の部材である。このロアプレート４６が特許請求の範囲記載の「ロア連結部材」に相当する。両サイドフレーム４４，４４の上端部４４ｂにアッパフレーム４２の端部が溶接されており、下端部の後リブ部４４ｄにロアプレート４６の端部が溶接されてロ形のバックフレーム４０が構成されている。
【００１２】
図４に示されるように、ロアプレート４６はプレート状の部材で一般部４６ａと下端部が上方向に曲げられた係止部４６ｂとからなる。一般部４６ａの前方向の面すなわちシートバック１４の内側方向の面には係止部４６ｂに対向してプレートブラケット４６ｃが立設されている。枠付きネット組立体２１を構成する枠体２２下部に設けられたの板状部２８ａの先端部が係止部４６ｂとプレートブラケット４６ｃとの間に保持されて上下方向の動きを制限される。プレートブラケット４６ｃはさらに一般部４６ａの前後方向曲げに対する剛性を高めることにも寄与している。
【００１３】
バックフレーム４０の下部のロアプレート４６の前部には、パイプ状のリクライニングロッド５０が両サイドフレーム４４，４４に掛け渡されて配設されている。つまり、リクライニングロッド５０が枠体２２の下辺２８に対応して配設されている。リクライニングロッド５０は、サイドフレーム４４，４４の下部に取り付けられたリクライナー５２，５２を接続して相互の動作を同期させる機能を担うものである。リクライナー５２，５２はシートバック１４をシートクッション１２に対して傾動させる機能を有し、ロック、アンロックの操作に伴ってリクライニングロッド５０が軸周りに回動する。このリクライニングロッド５０が特許請求の範囲記載の「ロッド」に相当する。
【００１４】
図２および図３に示されるように、枠付きネット組立体２１を構成する枠体２２は、上辺２４と両側辺２６，２６とは、バックフレーム４０の外形に沿う三次元の立体形状として成形されている。そのため、ネット２０を着座者の体に沿わせやすく湾曲して張った状態に保持することができる。枠体２２の上辺２４の裏側には、アッパフレーム４２の外周に嵌ることができる嵌め込み部２４ａが形成されている。この嵌め込み部２４ａがアッパフレーム４２に外嵌されて枠体２２の上辺２４がアッパフレーム４２に固定されている。枠体２２の両側辺２６，２６の裏側には、複数の取り付けブラケット２７が設けられている。このブラケット２７はバックフレーム４０の両サイドフレーム４４，４４に設けられた複数の係合部４４ｅとそれぞれ対応してビス止め固定される。
【００１５】
図６および図７に示されるように、枠体２２の下辺２８は、後方上部に向かう板状部２８ａとされている。板状部２８ａは、薄板に左右方向の後端部リブ２８ａ１と前端部リブ２８ａ２を設け、さらにそれらをつなぐべく前後方向に複数のリブ２８ａ３を設けて剛性を高めた構造となっている。前端部リブ２８ａ２の左右両端部は、両側辺２６，２６下部と連結される折りたたみ部２９ｃに固着されている。変形部２９は、両側辺２６，２６下端部が枠体２２の内側方向に膨らんだ部分で、その中央部分近傍に上下方向のスリット２９ａが入っている。スリット２９ａをはさんで両側辺２６，２６に近い側が本体部２９ｂで、遠い側が折りたたみ部２９ｃである。折りたたみ部２９ｃは、肉厚が本体部２９ｂより薄く設定されており、その上部後方の面に溝２９ｃ１が設けられ、下部前方の面に溝２９ｃ２が設けられている。板状部２８ａの前端に上向きの力が加えられたとき折りたたみ部２９ｃが溝２９ｃ１と溝２９ｃ２を起点として折りたたまれて板状部２８ａの前端が上方に移動するようになっている。この折りたたみ部２９ｃが特許請求の範囲記載の「弱体部」に相当する。
【００１６】
枠体２２はバックフレーム４０に次のように組みつけられる。上辺２４の嵌め込み部２４ａをバックフレーム４０のアッパフレーム４２に嵌め込む。下辺２８の板状部２８ａの上にウレタン製のパッド体６０を載置した状態で板状部２８ａの先端部をバックフレーム４０のロアプレート４６の係止部４６ｂとプレートブラケット４６ｃの間に差し込んで係止させる。このとき、板状部２８ａはリクライニングロッド５０の上方に隙間を空けて配置されている。また、ネット２０とロアプレート４６の一般部４６ａとの間にはウレタン製のパッド体６０が介在されている。このウレタン製のパッド体６０は、半硬質ウレタン発泡成形品で通常は着座者の腰部を支えるとともに、後突時等に大荷重が負荷されると圧縮変形する適度の弾性を有する弾性体である。このパッド体６０が特許請求の範囲記載の「クッション体」に相当する。
【００１７】
以上のように構成される実施形態は、以下のような作用効果を奏する。
乗員着座時の通常姿勢状態においては、着座者の背中はシートバック１４の枠付きネット組立体２１のネット２０によって支えられ、その下部は、図４に示されるように、パッド体６０がロアプレート４６との間に介在している。これによって、着座者の腰部は適度な弾力感を持って支持されている。このとき、枠体２２の下辺２８に設けられた板状部２８ａは、リクライニングロッド５０の上方に離間して配設されている。すなわち、後端部リブ２８ａ１部分がロアプレート４６の係止部４６ｂとプレートブラケット４６ｃとの間に保持されて上下方向の動きを制限されて、前端部リブ２８ａ２の左右両端部が折りたたみ部２９ｃに固着されて支持されている。これによって、リクライニングロッド５０はその回動を妨げられず、リクライナー５２を操作してシートクッション１２に対するシートバック１４の角度調整が円滑に行える。
【００１８】
後突時などのように着座者からシートバック１４に後方に向かって大荷重が負荷されたような場合、図５に示されるように、人体（一点差線で示す）によって板状部２８ａはロアプレート４６に対して強く押し付けられる。このとき、板状部２８ａの後端部リブ２８ａ１部分はロアプレート４６の係止部４６ｂとプレートブラケット４６ｃとの間に保持されて上下方向の動きを制限されているので上下方向には動かない。また、板状部２８ａの前端部リブ２８ａ２の左右両端部を支持する折りたたみ部２９ｃは、図８に示されるように、溝２９ｃ１と溝２９ｃ２を起点として折りたたまれて板状部２８ａの前端部リブ２８ａ２部分が上方すなわち板状部２８ａがリクライニングロッド５０から離れる方向に移動する。また、このときパッド体６０は、大きく圧縮変形する。これによって、枠体２２の一部である板状部２８ａは、リクライニングロッド５０に当接することなくロアプレート４６にその荷重を伝えるので、リクライニングロッド５０が回転させられることがなく、リクライニングロッド５０の回転を通じてリクライナー５２のロックを解除してしまうおそれが抑制される。このとき、ネット２０とロアプレート４６の間でパッド体６０が圧縮変形させられるのでパッド体６０による衝撃吸収も図られる。
【００１９】
以上、特定の実施形態について説明したが、本発明は、それらの外観、構成に限定されず、本発明の要旨を変更しない範囲で種々の変更、追加、削除が可能である。例えば、
１．上記実施形態においては、ロア連結部材としてプレート状の部材を採用したが、閉断面状のものでもパイプ状のものであってもよい。
２．上記実施形態においては、ロアプレート４６の係止部４６ｂとプレートブラケット４６ｃとの間に板状部２８ａの後端部リブ２８ａ１部分を保持したが、ロアプレート４６の前側の面にコの字断面のブラケットを取り付けそれに板状部２８ａの後端部リブ２８ａ１部分を保持する構造としてもよい。
３．上記実施形態では、本発明を自動車のシートに適用したが、飛行機、船、電車等に搭載のシートに適用しても良い。
【符号の説明】
【００２０】
１０      乗物用シート
１４      シートバック
２０      ネット（面状弾性体）
２２      枠体
２８ａ    板状部
２９ｃ    折りたたみ部（弱体部）
４０      バックフレーム（フレーム体）
４２      アッパフレーム
４４      サイドフレーム
４６      ロアプレート（ロア連結部材）
５０      リクライニングロッド（ロッド）
５２      リクライナー
６０      パッド体（クッション体）
【図１】
2015074338.tif 000003
【図２】
2015074338.tif 000004
【図３】
2015074338.tif 000005
【図４】
2015074338.tif 000006
【図５】
2015074338.tif 000007
【図６】
2015074338.tif 000008
【図７】
2015074338.tif 000009
【図８】
2015074338.tif 000010